(57)【要約】      （修正有）【課題】足に履物を止着することにより、履物からの浮き足を防止し、歩行の際の地面との接触音を低減させ、激しい動作をした場合であっても疲労を低減しうる簡易な構成からなる履物止着用バンドを提供する。【解決手段】伸縮しうる弾性樹脂素材により形成された環状の履物止着用バンドであって、履物を履いた後に、足指側から挿通させて、履物裏面側と足の甲との間に装着して、付勢力により、足に履物を密着させて止着しうる。【選択図】図１
0003143938.tif 000002
【実用新案登録請求の範囲】
【請求項１】
伸縮しうる弾性樹脂素材により形成された環状の履物止着用バンドであって、
履物を履いた後に、足指側から挿通させて、履物裏面側と足の甲との間に装着して、付勢力により、足に履物を密着させて止着しうることを特徴とする履物止着用バンド。
【請求項２】
シート状に形成されると共に所定の幅寸法を有する帯状に形成されていることを特徴とする請求項１記載の履物止着用バンド。
【請求項３】
つなぎ目を有しないことを特徴とする請求項１または２記載の履物止着用バンド。
【請求項４】
上記樹脂素材は、透明色彩により形成されていることを特徴とする請求項１〜３のいずれか１項に記載の履物止着用バンド。
【請求項５】
上記樹脂素材は、ポリウレタン素材により形成されていることを特徴とする請求項１〜４のいずれか１項に記載の履物止着用バンド。
【考案の詳細な説明】
【技術分野】
【０００１】
本考案は、履物止着用バンドに係り、特に、履物からの浮き足を防止しうる履物止着用バンドに関する。
【背景技術】
【０００２】
従来から、足の踵部分が保持されないサンダル等を履いて歩行する場合に、サンダル等から踵部分が離れ易いことから、歩行し難く疲れ易いことが多かった。
また、女性が足の踵部分が十分に保持されないハイヒールを履いて歩行する場合に、踵部分がハイヒールから離れ易く、ハイヒールと踵との間の離間または密着が繰り返して行われることから、ヒール部分と地面との接触音が気になることが多かった。
また、ダンス等の激しい動作をする場合には、ダンスシューズと足とが密着して保持されていれば、激しい動作をした場合であっても、疲労を低減することができる。
従って、上記の観点から、足を履物に密着させて保持できる止着具が望まれている。
【考案の開示】
【考案が解決しようとする課題】
【０００３】
本考案は、足に履物を止着することにより、履物からの浮き足を防止し、歩行の際の地面との接触音を低減させ、激しい動作をした場合であっても疲労を低減しうる簡易な構成からなる履物止着用バンドを提供することにある。
【課題を解決するための手段】
【０００４】
上記課題を解決するために、請求項１記載の考案にあっては、伸縮しうる弾性樹脂素材により形成された環状の履物止着用バンドであって、履物を履いた後に、足指側から挿通させて、履物裏面側と足の甲との間に装着して、付勢力により、足に履物を密着させて止着しうることを特徴とする。
従って、伸縮しうる弾性樹脂素材により形成された環状の履物止着用バンドであることから、履物裏面側と足の甲との間に装着して、付勢力により、足に履物を密着させて止着することができる。
また、伸縮しうる弾性樹脂素材により形成されているので簡易な構成である。
【０００５】
請求項２記載の考案にあっては、シート状に形成されると共に所定の幅寸法を有する帯状に形成されていることを特徴とする。
従って、シート状に形成されると共に所定の幅寸法を有する帯状に形成されていることから、内周面が足及び履物へ良好に当接して付勢力が作用し易く、良好な状態で密着させて巻回することができる。
【０００６】
請求項３記載の考案にあっては、つなぎ目を有しないことを特徴とする。
従って、つなぎ目を有しないことから、つなぎ目を気にして装着する必要がなく、つなぎ目の破断による損傷の可能性がない。
【０００７】
請求項４記載の考案にあっては、上記樹脂素材は、透明色彩により形成されていることを特徴とする。
従って、上記樹脂素材は、透明色彩により形成されているので、装着していることが判り難い。
【０００８】
請求項５記載の考案にあっては、上記樹脂素材は、ポリウレタン素材により形成されていることを特徴とする。
従って、上記樹脂素材は、ポリウレタン素材により形成されていることから、伸縮性が大きく、強度が強く、軽量であり、装着感が良好である。
【考案の効果】
【０００９】
請求項１記載の考案にあっては、伸縮しうる弾性樹脂素材により形成された環状の履物止着用バンドであることから、履物裏面側と足の甲との間に装着して、付勢力により、足に履物を密着させて止着することができるので、履物からの浮き足を防止でき、歩行の際の地面との接触音を低減させることができ、激しい動作をした場合であっても、疲労を低減しうる履物止着用バンドを提供することができる。
また、伸縮しうる弾性樹脂素材により形成された環状からなる簡易な構成であるので、取り扱いが容易で、容易に着脱できる履物止着用バンドを提供することができる。
【００１０】
請求項２記載の考案にあっては、シート状に形成されると共に所定の幅寸法を有する帯状に形成されており、内周面が足及び履物へ良好に当接して付勢力が作用し易く、良好な状態で密着させて巻回することができることから、より足に履物を密着させて止着できるので、履物からの浮き足を防止できる履物止着用バンドを提供することができる。
【００１１】
請求項３記載の考案にあっては、つなぎ目を有しないので、つなぎ目が足に密着することなく、装着感を損なうことのない履物止着用バンドを提供することができる。
また、つなぎ目を有して形成されている場合に比して、伸長した際の損傷の可能性を軽減できる履物止着用バンドを提供することができる。
【００１２】
請求項４記載の考案にあっては、弾性樹脂素材は透明色彩により形成されていることから、装着していることが判り難く、履物の外観を損なうことがないので、外観上、体裁の整った履物止着用バンドを提供することができる。
【００１３】
請求項５記載の考案にあっては、上記弾性樹脂素材は、ポリウレタン素材により形成されているので、伸縮性が大きく、強度が強く、軽量であり、装着感が良好であるので、より取り扱い易く、容易に着脱しうる履物止着用バンドを提供することができる。
【考案を実施するための最良の形態】
【００１４】
以下、図面を用いて本考案の実施の形態について説明する。
図２（ａ）〜（ｃ）に示すように、本実施の形態に係る履物止着用バンド１０は、伸縮しうる弾性樹脂素材により形成された環状の履物止着用バンド１０であって、図１に示すように、履物１１を履いた後に、足指１２側から挿通させて、履物１１裏面１３側と足１５の甲１４との間に装着して、付勢力により、足１５に履物１１を密着させて止着しうるように形成されている。
また、図２に示すように、シート状に形成されると共に所定の幅寸法Ｌ１を有する帯状に形成されている。
また、つなぎ目を有しないことにより形成されている。
また、上記樹脂素材は、透明色彩により形成されている。
また、上記樹脂素材は、ポリウレタン素材により形成されている。
【実施例】
【００１５】
以下に、図面を用いて本実施例について詳細を説明する。
図２（ａ）〜（ｃ）に示すように、本実施例に係る履物止着用バンド１０は、伸縮しうる弾性合成樹脂素材からなるシート状のポリウレタン素材により形成されている。
ポリウレタン樹脂は、伸縮性が大きい弾性合成樹脂であり、強度が強く、軽量である。
また、図２（ｃ）に示すように、シート状に形成されると共に所定の幅寸法Ｌ１を有する帯状の環状に形成され、全体として筒状に形成されている。
また、図１に示すように、履物１１を履いた状態において、履物１１裏面側１３と足の甲１４とを巻回して装着しうる周長さ寸法により形成されている。
また、図２（ａ）に示すように、内周面１６同士を当接させることにより、長さ寸法Ｌ２を有する方形状に折り畳むことができる。
本実施例の場合、図２（ａ）に示ように折り畳まれた状態の外形寸法は、幅寸法Ｌ１が略２ｃｍ、長さ寸法Ｌ２が略１０ｃｍに形成されている。
また、上記ポリウレタン樹脂は、透明色に形成され、つなぎ目を有しない環状に形成されている。
【００１６】
以下、本実施例の作用について説明する。
本実施例においては、図１に示すように、女性用の履物であるミュール１８を履いた後に、ミュール１８を足１５に密着させて止着する場合を例に説明する。
まず、本実施例に係る履物止着用バンド１０を装着するには、例えば、図２（ａ）に示すような折り畳まれて所持している場合、図２（ｂ）に示す状態を経て、図２（ｃ）に示すように開口部１７を開口させる。
この場合、履物止着用バンド１０は伸縮しうる弾性合成樹脂素材からなるシート状のポリウレタン素材により形成されていることから、内周面１６側から外側方向へ付勢力に抗して押圧することにより、開口部１７を拡張するように外周方向へ伸長することができ、内周面１６側からの押圧力がなくなった場合に、付勢力により元に復帰する。
【００１７】
次に、図１に示すように、ミュール１８を履いた後に、足指１２側から履物止着用バンド１０の開口部１７を挿通させて、内周面１６側から付勢力に抗して外側方向に押圧しながら開口部１７を拡張して、ミュール１８の長さ方向略中央部の裏面側１３と足１５の甲１４との間に配置する。
そして、内周面１６側からの押圧力を解除することにより、ミュール１８の裏面１３側と足１５の甲１４との間に装着して、履物止着用バンド１０の付勢力により、足１５とミュール１８とを密着させて止着する。
この場合、履物止着用バンド１０は弾性合成樹脂素材からなる環状のシート状のポリウレタン素材により形成されていることから、取り扱いが容易であり、容易に装着することができる。また、帯状の内周面１６が足１５の甲１４を圧接することから装着感が良好である。
また、シート状の所定の幅寸法Ｌ１を有する内周面１６に圧接され、ミュール１８は足１５に良好に密着して止着されているので、踵が保持されない図１に示すようなミュール１８を履いて歩行した場合であっても、ミュール１８からの浮き足を防止することができる。
その結果、ミュール１８を履いて長時間歩行した場合であっても、履物止着用バンド１０を装着していない場合に比して、疲労を低減することができる。
また、履物止着用バンド１０を装着していない場合に比して、歩行の際の地面とミュール１８の踵部分との接触音を低減させることができる。
【００１８】
また、履物止着用バンド１０は弾性樹脂素材は透明色彩により形成されていることから、装着していることが判り難く、ミュール１８の外観を損なうことがないので、外観上、体裁を損なうことなく装着することができる。
また、つなぎ目を有しないので、つなぎ目が足１５に密着することなく、装着感を損なうことがない。
また、つなぎ目を有して形成されている場合に比して、伸長した際の損傷の可能性は軽減される。
【００１９】
また、履物止着用バンド１０を取り外す場合には、図１に示す状態から足指１２方向へ履物止着用バンド１０をスライドさせることにより、弾性合成樹脂素材からなる環状のシート状のポリウレタン素材により形成されていることから、容易に取り外すことができる。
また、取り外した後に持参する場合には、図２（ｃ）示すような環状の状態から、図２（ａ）に示すような方形状に折り畳んだ状態に容易に変形できるので、取り扱いが容易である。
【００２０】
本実施例においては、履物１１をミュール１８とした場合を例に説明したが、履物１１はミュール１８に限定されるものではなく、サンダル、ダンスシューズ等の他の履物１１に適用することができる。
特に、ダンスシューズを履いて装着した場合には、激しい動作をした場合であってもダンスシューズは足に密着して止着されていることから、疲労を低減することができる。
【産業上の利用可能性】
【００２１】
本考案は、履物止着用バンドに係り、特に、履物からの浮き足を防止しうる履物止着用バンドに適用することができる。
【図面の簡単な説明】
【００２２】
【図１】本考案に係る履物止着用バンドの一実施の形態を示し、履物止着用バンドを装着した場合の斜視図である。
【図２】本考案に係る履物止着用バンドの一実施の形態を示し、（ａ）は折り畳んだ状態の斜視図、（ｂ）は開口部を少し開口した状態の斜視図、（ｃ）は開口部を広く開口した状態の斜視図である。
【符号の説明】
【００２３】
１０  履物止着用バンド
１１  履物
１２  足指
１３  履物裏面
１４  足の甲
１５  足
１６  内周面
１７  開口部
１８  ミュール
Ｌ１  幅寸法
Ｌ２  長さ寸法
【図１】
0003143938.tif 000003
【図２】
0003143938.tif 000004